(57)【特許請求の範囲】
【請求項１】
ケラバの上方、側方及び下方をそれぞれ被覆する上面被覆面、側面被覆面及び下面被覆面からなるケラバ被覆部と、上面被覆面の端縁部から下方へ折れた垂下面の下端部を上方へＶ字溝状に内折れさせてなる上部係合部と、下面被覆面の端縁部から上方へ折れた起立面の上端部を下方へＶ字山状に外折れさせてなる下部係合部とを備え、前記側面被覆面にケラバ長手方向に長孔を設けてなる構成を有するケラバカバー材と、
躯体上面に固定される固定面から立ち上がった起立面と折り返し片からなるＶ字山状の上部係合受部と、躯体下面に固定される固定面から垂下した垂下面と折り返し片からなるＶ字溝状の下部係合受部を備えた支持ブラケットとを有し、
躯体側に固定した支持ブラケットの前記上下係合受部にケラバカバー材の前記上下係合部をそれぞれ係合し、ケラバカバー材をケラバ長手方向に摺動可能に支持するとともに、長孔内に釘、ボルト或いはビス等の固定部材を打ち込んでケラバカバー材を留め付けることにより、長孔の長さ範囲内でケラバ長手方向に摺動可能にケラバカバー材を取り付けてなるケラバカバー材の取り付け構造。
【発明の詳細な説明】
【０００１】
【発明の属する技術分野】
本発明は、建物のケラバ（けら羽）すなわち切り妻屋根の妻側端部に装着するケラバカバー材の取り付け構造に関する。
【０００２】
【従来の技術及び明が解決しようとする課題】
切り妻屋根の外観を向上させるために“ケラバ”すなわち屋根の切り妻端部を包み込むようにケラバカバー材を装着することがある。
この種のケラバカバー材は、図７に示すように、薄い金属板材を加工して断面略コ字状の長尺材に形成してなるもの（ケラバカバー材１００）が多く、その取り付けは、直接（図示なし）或いは同図に示すように支持ブラケット１０１を介してケラバ（破風板）５１にケラバカバー材１００を外側から被せ、このケラバカバー材１００の上下端部及び中間部を釘、ボルト或いはビスなどの固定部材１０２でしっかり固定して取り付けるのが一般的であった。
【０００３】
このため、気温の上昇や直射日光などによってケラバカバー材１００の温度が高まって熱膨張すると、ケラバカバー材１００に歪みが生じたり、ひどい場合には大きく変形して亀裂が生じる場合もあった。特にケラバカバー材１００の長手方向の熱伸縮による影響は深刻であった。
【０００４】
そこで本発明は、このようなケラバカバー材の熱伸縮、特に長手方向における熱伸縮に対応し得るケラバカバー材の取り付け構造を提供せんとするものである。
【０００５】
【課題を解決するための手段】
かかる課題を解決するため、本発明のケラバカバー材の取り付け構造は、ケラバを被覆するケラバ被覆部と上下係合部を備え、当該ケラバ被覆部にケラバ長手方向に長孔を設けてなる構成を有するケラバカバー材と、ケラバカバー材の上下係合部がそれぞれ係合する上下係合受部を備え、ケラバカバー材をケラバ長手方向に摺動可能に支持する支持ブラケットとを有し、躯体側に固定した支持ブラケットの上下係合受部にケラバカバー材の上下係合部をそれぞれ係合し、ケラバカバー材をケラバ長手方向に摺動可能に支持するとともに、長孔内に釘、ボルト或いはビス等の固定部材を打ち込んでケラバカバー材を留め付けることにより、長孔の長さ範囲内でケラバ長手方向に摺動可能にケラバカバー材を取り付けてなるものである。
【０００６】
上記構成において、ケラバの上方、側方及び下方をそれぞれ被覆する上面被覆面、側面被覆面及び下面被覆面からなるケラバ被覆部と、上面被覆面の端縁部から下方へ折れた垂下面の下端部を上方へＶ字溝状に内折れさせてなる上部係合部と、下面被覆面の端縁部から上方へ折れた起立面の上端部を下方へＶ字山状に外折れさせてなる下部係合部とを備え、前記側面被覆面にケラバ長手方向に長孔を設けてなる構成を有するケラバカバー材と、躯体上面に固定される固定面から立ち上がった起立面と折り返し片からなるＶ字山状の上部係合受部と、躯体下面に固定される固定面から垂下した垂下面と折り返し片からなるＶ字溝状の下部係合受部を備えた支持ブラケットとを用いることができる。
【０００７】
上記構成からなるケラバカバー材の取り付け構造であれば、支持ブラケットの係合受部に係合部を係合させた状態でケラバカバー材をケラバ長手方向に自在に摺動させることができるから、ケラバカバー材を手で支えなくても取り付け位置の調整を容易に行うことができる。しかも、釘やビスなどを打ち込む固定孔としての長孔をケラバ長手方向に形成することによって、当該ケラバカバー材が当該方向に大きく熱伸縮したとしても、長孔の範囲内であればこれを吸収することができ、歪みや変形、亀裂などを生じることがない。
【０００８】
なお、上記ケラバカバー材における係合部は、ケラバ長手方向に摺動可能に係合し得る構造であればその構造は任意であり、例えば後述する実施例の如く、ケラバ長手方向に連続してなる係合部構造を採用することができる。また、後述する実施例の如く、ケラバ被覆部の上下端部若しくは上下端部付近、或いはその他の適宜場所に２つ或いはそれ以上の係合部を設けることも可能であり、その場合、取り付け構造における支持ブラケットは、各係合部に対応した係合受部をそれぞれ備えた複数の支持ブラケットを用いることも、また、各係合部に対応した複数の係合受部を備えた一体の支持ブラケットを用いることもできる。そして、この支持ブラケットは雨仕舞いや水切りの機能を備えていてもよい。
また、上記取り付け構造における“躯体側”とは、屋根パネル、破風板、或いはその他のケラバ若しくはケラバ付近を構成する任意の建物構成部分を意味する。
【０００９】
【発明の実施の形態】
以下、実施例に基づいて本発明の実施形態について説明する。
【００１０】
ケラバカバー材１は、図１に示すように、切妻屋根５０の妻側端部すなわちケラバ５１に被着するカバー材であり、ステンレス板やアルミ板などの薄い金属板材を加工して略断面コ字状の長尺材として形成してある。このケラバカバー材１は、図２に示すように、ケラバ５１を被覆するケラバ被覆部２と、このケラバ被覆部２の上下端部に形成した上下係合部３，４とを備え、ケラバ被覆部２内には固定孔としての長孔５を設けてある。
【００１１】
ケラバ被覆部２は、図２に示すように、断面略コ字状を呈し、ケラバ５１を上から被覆する上面被覆面６と、ケラバ５１を側方から被覆する側面被覆面７と、ケラバ５１を下から被覆する下面被覆面８とを備えている。
【００１２】
詳しくは、上面被覆面６は、適宜幅を有する長尺な略水平面の外側端縁部６ａから適宜幅内側すなわち建物側に適宜幅寄った部位に、図２に示すように、長手方向に沿って（言いかえれば当該外側端縁部６ａに沿って）段差部６ｂを設け、この段差部６ｂの内側部６ｃ（建物側部分）を外側部６ｄより一段低く形成し、更にこの内側部６ｃの内側端縁部を下方に折曲して垂下面６ｅを設けて形成してある。側面被覆面７は、ケラバ端面を被覆する垂直幅を有するケラバ方向に長尺な略垂下面７ａを備え、この略垂下面７ａの上下中間部位に長さ方向すなわちケラバ長手方向に連続した溝部９を設け、この溝部９内の適宜箇所に溝部長さ方向すなわちケラバ長手方向に長尺な上記の長孔５を設けてある。下面被覆面８は、適宜幅を有する長尺な略水平面の内側部８ａの内側端縁部を上方に立ち上げて起立面８ｂを設けて形成してある。
【００１３】
上部係合部３は、上面被覆面６における垂下面６ｅの下端部を外側（建物側とは逆側。以下同様）上方に折り返し（折り返し片３ａ）、垂下面６ｅと折り返し片３ａとから長手方向に連続したＶ字溝状の係合部を設けて形成してある。
下部係合部４は、当該起立面８ｂの上端部を外側水平に折曲して若干幅の水平面１０ａを形成すると共にこの水平面１０ａの外側端縁を起立してなる立上り面１０ｂを形成し、この立上り面１０ｂの上端縁部を内側（建物側。以下同様）下方に折り返して（折り返し片４ａ）、立上り面１０ｂと折り返し片４ａとから長手方向に連続したＶ字山状の係合部を設けて形成してある。
【００１４】
以下、ケラバカバー材１の好ましい取り付け構造の一例について説明する。
【００１５】
上記ケラバカバー材１は、図３に示すような上下支持ブラケット１１、１２を介して切妻屋根５０の妻側端部分すなわちケラバ５１に取り付けることができる。
【００１６】
上部支持ブラケット１１は、図３（Ａ）に示すように、ケラバカバー材１の上部係合部３とケラバ長手方向に摺動可能に係合し得る上部係合受部１３を備えた金具であり、具体的には、矩形状の固定面１１ａの一側端縁を立ち上げて起立面１１ｂを形成し、この起立面１１ｂの上端縁部を内側（固定面１１ａ側）下方に折り返して（折り返し片１３ａ）、起立面１１ｂと折り返し片１３ａとから長手方向に連続するＶ字山状の係合受部１３を設けて形成してある。
【００１７】
下部支持ブラケット１２は、図３（Ｂ）に示すように、ケラバカバー材１の下部係合部４とケラバ長手方向に摺動可能に係合し得る下部係合受部１４を備えた金具であり、具体的には、矩形状の固定面１２ａの一側端縁から垂下させて垂下面１２ｂを形成し、この垂下面１２ｂの下端縁部を外側（固定面１２ａ）上方に折り返して（折り返し片１４ａ）、垂下面１２ｂと折り返し片１４ａとから長手方向に連続するＶ字溝状の係合受部１４を設けて形成してある。
【００１８】
このような上下支持ブラケット１１、１２を用いてケラバカバー材１を取り付けるに当たっては、先ず、図４（Ａ）に示すように、屋根パネル５２の上面に固定面１１ａを重ねてこの重合部内の適宜箇所に釘等の固定部材１５を打ち込んで上部支持ブラケット１１を固定する一方、屋根パネル５２の下面に固定面１２ａを重ねてこの重合部内の適宜箇所に釘等の固定部材１５を打ち込んで下部支持ブラケット１２を固定する。
なお、上下支持ブラケット１１、１２は、例えば破風板などの上記屋根パネル５２以外のケラバ構成部材に固定することもできる。
【００１９】
次いで、図４（Ｂ）に示すように、ケラバカバー材１の上部係合部３を上部支持ブラケット１１の上部係合受部１３に引っ掛けておいて、下部係合部４を下部支持ブラケット１２の下部係合受部１４に係合するようにしてケラバカバー材１をケラバ５１に被覆装着する。そして、この状態で必要に応じてケラバカバー材１をケラバ長手方向に摺動させて取り付け位置の調整を行う。
【００２０】
しかる後、長孔５内好ましくはその中央部に釘やビスなどの固定部材１５を打ち込んでケラバカバー材１を固定する。この際、固定部材１５の打ち込みは、ケラバカバー材１が摺動不可能な程強く打ち込むのではなく、熱伸縮に伴ってケラバカバー材１が少なくとも長手方向に摺動し得る強さに打ち込むようにする。
なお、長孔５を介して固定部材１５を打ち込む相手は、図４に示すように屋根パネル５２であっても、図示はしないがブラケット材その他の構成部材であってもよい。
【００２１】
また、ケラバ長手方向に隣接するケラバカバー材１、１Ａ間の接続は、図５に示すように、互いの長手方向端部をケラバ長手方向に摺動可能に重ねて接続させればよい。なお、図１に示すケラバ軒先部分に装着するケラバ軒先カバー材２１との接続は、当該ケラバ軒先カバー材２１の中間部から基端部にかけての断面構造を上記ケラバカバー材１の断面構造と同様に形成することにより、ケラバカバー材１、１Ａ間と同様に接続することができる。
【００２２】
上記の如きケラバカバー材１の取り付け構造によれば、ケラバカバー材１をケラバ５１に被覆装着した状態、すなわち上下支持ブラケット１１，１２の上下係合受部１３，１４にケラバカバー材１の上下係合部３，４を係合させた状態で、ケラバカバー材１をケラバ長手方向に自在に摺動させることができるから、ケラバカバー材1を手で支えることなく取り付け位置の調整を容易に行うことができる。
しかも、釘やビスなどの固定部材１５を打ち込む固定孔（長孔５）をケラバ長手方向に長尺に形成し、更には隣接するケラバカバー材１、１Ａ間をケラバ長手方向に摺動可能に接続したことによって、ケラバカバー材１が熱膨張したとしても、特に膨張幅の大きいケラバ長手方向においても、長孔５の長さ範囲内であれば摺動可能であるから、このような熱膨張を歪みや変形、亀裂などを生じさせることなく吸収させることができる。
【００２３】
なお、本発明においては、上下支持ブラケット１１、１２は長尺材として形成することもできる。また、上下支持ブラケット１１、１２の代わりに、図６にその一例を示すように、上下係合受部３２，３３を備えた一体の支持ブラケット３１を用いてケラバカバー材１を取り付けても同様の効果を享受することができる。
また、ケラバカバー材１の上下係合部３，４及びと上下支持ブラケット１１，１２の係合受部１３，１４の係合構造は、容易に係合可能であって、かつ係合後は外れ難く、しかも雨水などがケラバカバー材１内に浸入しない構造を備えていれば、その形状及び構造は任意に形成可能である。
【図面の簡単な説明】
【図１】  本発明の一実施例に係るケラバカバー材と、これを取り付ける建物のケラバを示した分解斜視図である。
【図２】  本発明の一実施例に係るケラバカバー材の一例を示した一部断面斜視図である。
【図３】  本発明の一実施例に係る支持ブラケットを示した一部断面斜視図であり、（Ａ）は上部支持ブラケットの一例、（Ｂ）は下部支持ブラケットの一例を示している。
【図４】  ケラバカバー材の取り付け方法を説明する一部断面斜視図であり、（Ａ）は支持ブラケットの取り付け工程、（Ｂ）はケラバカバー材の取り付け工程を示している。
【図５】  ケラバ長手方向に隣接するケラバカバー材間の接続構造の一例を示した一部断面斜視図である。
【図６】  図３とは異なる構成の支持ブラケットの一例を示した断面図である。
【図７】  従来のケラバカバー材及びこれの取り付け状態を示した断面図である。
【符号の説明】
１    ケラバカバー材
２  ケラバ被覆部
３，４上下係合部
５  長孔
６  上面被覆面
７  側面被覆面
８  下面被覆面
９  溝部
１１  上部支持ブラケット
１２  下部支持ブラケット
１３  上部係合受部
１４  下部係合受部
１５  固定部材
２１  ケラバ軒先カバー材
３１  支持ブラケット
３２  上部係合受部
３３  下部係合受部
５０  切妻屋根
５１  ケラバ
５２  屋根パネル
【図１】
0003901461.tif 000002
【図２】
0003901461.tif 000003
【図３】
0003901461.tif 000004
【図４】
0003901461.tif 000005
【図５】
0003901461.tif 000006
【図６】
0003901461.tif 000007
【図７】
0003901461.tif 000008